(57)【要約】【課題】  開閉する２つのカバー部材が共に閉じられた状態にあることを１つの検知手段によって簡単かつ適切に検知できるようにする。【解決手段】  開閉する２つのカバー部材11,12が共に閉じられた状態を検知するカバー開閉検知装置において、回転支軸23にそれぞれのカバー部材と接触する２つのアーム部21,22が設けられた回動レバー20と、回動レバーの回転支軸が挿入されて回動レバーをスライド可能に保持する長穴31が設けられた保持部材30と、回動レバーを保持部材に設けられた長穴の一端側に付勢する付勢部材40とを設けると共に、２つのカバー部材が共に閉じた際に、この２つのカバー部材により回動レバーが押されて付勢部材による付勢方向と逆方向に長穴に沿って移動したことを検知する検知手段50を設けた。【選択図】  図７
2010282077.tif 000002
【特許請求の範囲】
【請求項１】
開閉する２つのカバー部材が共に閉じられた状態を検知するカバー開閉検知装置において、回転支軸に上記のそれぞれのカバー部材と接触する２つのアーム部が設けられた回動レバーと、回動レバーの回転支軸が挿入されて回動レバーをスライド可能に保持する長穴が設けられた保持部材と、上記の回動レバーを上記の保持部材に設けられた長穴の一端側に付勢する付勢部材とを設けると共に、上記の２つのカバー部材が共に閉じた際に、この２つのカバー部材により上記の回動レバーが押されて付勢部材による付勢方向と逆方向に長穴に沿って移動したことを検知する検知手段を設けたことを特徴とするカバー開閉検知装置。
【請求項２】
請求項１に記載のカバー開閉検知装置において、上記の付勢部材がバネ部材で構成され、上記の２つのカバー部材が共に閉じた際に、上記の回動レバーの移動に伴ってこの付勢部材が移動し、この付勢部材の移動を上記の検知手段により検知することを特徴とするカバー開閉検知装置。
【請求項３】
請求項１又は請求項２に記載のカバー開閉検知装置において、上記の付勢部材が回動可能に設けられたねじりコイルバネで構成され、このねじりコイルバネのコイル部から延出された一方の延出部を上記の回動レバーに押圧させて保持部材に設けられた長穴の一端側に付勢する一方、コイル部から延出された他方の延出部を係止させ、上記の２つのカバー部材が共に閉じた際に、上記の回動レバーの移動に伴って、上記の他方の延出部の係止が解除されて、ねじりコイルバネが回動されたことを上記の検知手段によって検知することを特徴とするカバー開閉検知装置。
【請求項４】
開閉する２つのカバー部材が共に閉じられた状態を検知するカバー開閉検知装置として、請求項１〜請求項３の何れか１項に記載のカバー開閉検知装置を備えたことを特徴とする画像形成装置。
【発明の詳細な説明】
【技術分野】
【０００１】
本発明は、開閉する２つのカバー部材が共に閉じられた状態を検知するカバー開閉検知装置及びこのようなカバー開閉検知装置が設けられた複写機，プリンタ，ファクシミリ及びこれらの複合機などの画像形成装置に関するものである。特に、開閉する２つのカバー部材が共に閉じられた状態にあることを１つの検知手段によって簡単かつ適切に検知できるようにした点に特徴を有するものである。
【背景技術】
【０００２】
複写機，プリンタ，ファクシミリ及びこれらの複合機などの画像形成装置においては、一般に、紙詰まりした紙を取り除いたり、イメージングユニット等の各種の消耗品を交換したりするため、その装置本体に複数の開閉するカバー部材が設けられている。
【０００３】
そして、このような画像形成装置においては、上記の各カバー部材が開いた状態で画像形成が行われるのを防止するため、一般に、各カバー部材に対応して、各カバー部材の開閉状態を検知するインターロックスイッチ等の検知手段を設け、各検知手段によって各カバー部材が閉塞された状態にあることを検知された場合にのみ、画像形成を行えるようにしている。
【０００４】
しかし、このように各カバー部材に対応して検知手段を設けるようにした場合、設ける検知手段の数が多くなってコストが高くつくと共に、各検知手段における接点不良等による誤動作が生じる可能性も高くなるという問題があった。
【０００５】
そして、近年においては、上記のような検知手段の数を少なくするため、特許文献１に示されるように、複数の外カバーを特定の順序で閉塞させた際に、最後に閉鎖される特定の外カバーにのみ連動するインターロックスイッチを設けると共に、複数の外カバーの閉鎖順序が正規と異なる場合に、特定の外カバー以外の外カバーと連動しこの特定の外カバーの閉鎖を防止する閉鎖防止部材を配することによって、インターロックスイッチの誤動作を防止するようにしたものが提案されている。
【０００６】
しかし、このようにインターロックスイッチの誤動作を防止するため、複数の外カバーを特定の順序で閉鎖させるようにした場合、各作業者が複数の外カバーを閉鎖させる順序を正確に覚えて、複数の外カバーをその順序で閉鎖させることが必要になり、作業者に与える負担が大きくなり、複数の外カバーを閉鎖させる作業が非常に面倒で、作業に要する時間も長くなるという問題があった。
【先行技術文献】
【特許文献】
【０００７】
【特許文献１】特開平１１−２７２１３１号公報
【発明の開示】
【発明が解決しようとする課題】
【０００８】
本発明は、複数のカバー部材が設けられた画像形成装置等において、検知装置によって各カバー部材が閉塞された状態にあることを検知する場合における上記のような問題を解決することを課題とするものである。
【０００９】
すなわち、本発明においては、複数のカバー部材が設けられた画像形成装置等において、開閉する２つのカバー部材が共に閉じられた状態にあることを１つの検知手段によって簡単かつ適切に検知できるようにすることを課題とするものである。
【課題を解決するための手段】
【００１０】
本発明のカバー開閉検知装置においては、上記のような課題を解決するため、開閉する２つのカバー部材が共に閉じられた状態を検知するカバー開閉検知装置において、回転支軸に上記のそれぞれのカバー部材と接触する２つのアーム部が設けられた回動レバーと、回動レバーの回転支軸が挿入されて回動レバーをスライド可能に保持する長穴が設けられた保持部材と、上記の回動レバーを上記の保持部材に設けられた長穴の一端側に付勢する付勢部材とを設けると共に、上記の２つのカバー部材が共に閉じた際に、この２つのカバー部材により上記の回動レバーが押されて付勢部材による付勢方向と逆方向に長穴に沿って移動したことを検知する検知手段を設けた。
【００１１】
ここで、上記のカバー開閉検知装置において、２つのカバー部材が共に閉じた際に、この２つのカバー部材により上記の回動レバーが押されて、この回動レバーが長穴に沿って付勢部材による付勢方向と逆方向に移動したことを検知手段によって検知するにあたっては、例えば、上記の付勢部材をバネ部材で構成し、上記の２つのカバー部材が共に閉じた際に、上記の回動レバーの移動に伴ってこの付勢部材が移動するようにし、この付勢部材の移動を上記の検知手段により検知させるようにすることができる。
【００１２】
そして、上記の付勢部材を、回動可能に設けられたねじりコイルバネで構成した場合には、このねじりコイルバネのコイル部から延出された一方の延出部を上記の回動レバーに押圧させて保持部材に設けられた長穴の一端側に付勢する一方、コイル部から延出された他方の延出部を係止させ、上記の２つのカバー部材が共に閉じた際に、上記の回動レバーの移動に伴って、上記の他方の延出部の係止が解除されて、ねじりコイルバネが回動されたことを上記の検知手段によって検知させるようにすることができる。
【００１３】
また、上記の検知手段としては、マイクロスイッチ等を用いることができる。
【００１４】
また、本発明の画像形成装置においては、開閉する２つのカバー部材が共に閉じられた状態を検知するにあたり、上記のようなカバー開閉検知装置を用いるようにした。
【発明の効果】
【００１５】
本発明のカバー開閉検知装置においては、開閉する２つのカバー部材が共に閉じられた状態を検知するにあたり、回転支軸に上記のそれぞれのカバー部材と接触する２つのアーム部が設けられた回動レバーと、回動レバーの回転支軸が挿入されて回動レバーをスライド可能に保持する長穴が設けられた保持部材と、上記の回動レバーを上記の保持部材に設けられた長穴の一端側に付勢する付勢部材とを設け、上記の２つのカバー部材が共に閉じた際に、この２つのカバー部材により上記の回動レバーが押されて、回動レバーが付勢部材による付勢方向と逆方向に長穴に沿って移動したことを検知手段によって検知するようにした。
【００１６】
この結果、本発明のカバー開閉検知装置においては、開閉する２つのカバー部材を閉じる順序がどのような順序であっても、１つの検知手段によって２つのカバー部材が共に閉じられた状態を簡単かつ適切に検知することができるようになる。
【００１７】
また、このようなカバー開閉検知装置を用いた画像形成装置においては、上記のように開閉する２つのカバー部材が共に閉じられた状態を１つの検知手段によって検知することができるため、各カバー部材に対応して検知手段を設ける場合に比べて、検知手段の数が少なくなってコストが低減されると共に、検知手段における接点不良等による誤動作も少なくなる。
【００１８】
さらに、上記のカバー開閉検知装置においては、上記のように開閉する２つのカバー部材を閉じる順序がどのような順序であっても、１つの検知手段によって２つのカバー部材が共に閉じられた状態を簡単かつ適切に検知することができるため、複数の外カバーを特定の順序で閉鎖させることが必要になる従来のものに比べて、画像形成装置に設けられた複数のカバー部材を閉塞させる作業が簡単かつ短時間で行えるようになる。
【００１９】
また、上記の検知手段としてマイクロスイッチを用いた場合、スイッチレバーに負荷を与えすぎると、スイッチの破損に至るため、通常はスイッチが破損しない位置に調整してスイッチを取り付けるが、付勢部材にバネを用いると、余分な負荷がバネに吸収されるようになり、スイッチを取り付ける位置の調整も不要となる。
【図面の簡単な説明】
【００２０】
【図１】本発明の一実施形態の画像形成装置において、装置本体の上部の開閉を行う第１カバー部材と、装置本体の側部の開閉を行う第２カバー部材とが設けられた状態を示した概略図である。
【図２】上記の実施形態において、装置本体の側部の開閉を行う第２カバー部材が開いた状態で、装置本体の上部の開閉を行う第１カバー部材が閉じられた場合における保持部材の表面側の状態を示した部分説明図である。
【図３】上記の実施形態において、装置本体の側部の開閉を行う第２カバー部材が開いた状態で、装置本体の上部の開閉を行う第１カバー部材が閉じられた場合における保持部材の裏面側の状態を示した部分説明図である。
【図４】上記の実施形態において、装置本体の上部の開閉を行う第１カバー部材が開いた状態で、装置本体の側部の開閉を行う第２カバー部材が閉じられた場合における保持部材の表面側の状態を示した部分説明図である。
【図５】上記の実施形態において、装置本体の上部の開閉を行う第１カバー部材が開いた状態で、装置本体の側部の開閉を行う第２カバー部材が閉じられた場合における保持部材の裏面側の状態を示した部分説明図である。
【図６】上記の実施形態において、装置本体の上部の開閉を行う第１カバー部材と装置本体の側部の開閉を行う第２カバー部材とが共に閉じられた場合における保持部材の表面側の状態を示した部分説明図である。
【図７】上記の実施形態において、装置本体の上部の開閉を行う第１カバー部材と装置本体の側部の開閉を行う第２カバー部材とが共に閉じられた場合における保持部材の裏面側の状態を示した部分説明図である。
【図８】本発明の他の実施形態の画像形成装置において、装置本体の正面側において、水平方向に回動して観音開き式に開閉される第１カバー部材と第２カバー部材とが設けられた状態を示した概略図である。
【発明を実施するための最良の形態】
【００２１】
次に、この発明の実施形態に係るカバー開閉検知装置及び画像形成装置を添付図面に基づいて具体的に説明する。なお、本発明に係るカバー開閉検知装置及び画像形成装置は、下記の実施形態に示したものに限定されず、その要旨を変更しない範囲において適宜変更して実施できるものである。
【００２２】
この実施形態の画像形成装置においては、図１に示すように、回動支点１１ａを中心に上下方向に回動して装置本体１０の上部の開閉を行う第１カバー部材１１と、回動支点１２ａを中心に上下方向に回動して装置本体１０の側部の開閉を行う第２カバー部材１２とが設けられると共に、この第１カバー部材１１と第２カバー部材１２とにそれぞれ装置本体１０の内方に向けて突出された押圧部材１１ｂ，１２ｂが設けられている。
【００２３】
そして、この第１カバー部材１１と第２カバー部材１２とが閉塞された状態で、それぞれ回動支点１１ａ，１２ａと反対側の端部相互が装置本体１０の上部の角部近傍において接触又は近接するようにしている。
【００２４】
また、この画像形成装置においては、上記の第１カバー部材１１と第２カバー部材１２とが共に閉じられた状態にあるかを、後述するカバー開閉検知装置によって検知し、第１カバー部材１１と第２カバー部材１２とが共に閉じられた状態にある場合に画像形成動作が行えるようになっている。
【００２５】
ここで、第１カバー部材１１と第２カバー部材１２とが共に閉じられた状態にあるかを検知するカバー開閉検知装置においては、図２〜図７に示すように、上記の第１カバー部材１１に設けられた押圧部材１１ｂに接触する第１アーム部２１と上記の第２カバー部材１２に設けられた押圧部材１２ｂに接触する第２アーム部２２とが回転支軸２３から延出された回動レバー２０を用い、この回動レバー２０を第１カバー部材１１と第２カバー部材１２とが設けられた装置本体１０内の上部の角部近傍に設けられた保持部材３０に回動可能に保持させるようにしている。
【００２６】
そして、このように回動レバー２０を装置本体１０内の角部近傍に設けられた保持部材３０に回動可能に保持させるにあたっては、上記の保持部材３０に角部方向に伸びた長穴３１を設け、この長穴３１に上記の回動レバー２０の回転支軸２３を挿通させて、回動レバー２０を回動可能に保持させると共に、長穴３１に沿って回動レバー２０が角部方向に移動できるようにしている。
【００２７】
また、上記の回動レバー２０を上記の長穴３１における角部側の端部に付勢する付勢部材にねじれコイルバネ４０を用い、このねじれコイルバネ４０におけるコイル部４１を上記の保持部材３０の裏面側に設けられた突起部３２に回動可能に保持させ、このねじれコイルバネ４０のコイル部４１から延出された第１延出部４２を保持部材３０に設けられた係止部３３に係止させると共に、この第１延出部４２に検知手段５０のスイッチ５１を作動させる作動部材５２を保持させている。一方、上記のコイル部４１から延出された第２延出部４３を、上記の回動レバー２０の回転支軸２３に押圧させるようにして係止させ、このねじれコイルバネ４０により上記の回動レバー２０を上記の長穴３１における角部側の端部に付勢するようにしている。
【００２８】
そして、図２及び図３に示すように、装置本体１０の側部の開閉を行う第２カバー部材１２が開いた状態で、装置本体１０の上部の開閉を行う第１カバー部材１１が閉じられた場合、図２に示すように、上記の第１カバー部材１１に設けられた押圧部材１１ｂにより回動レバー２０の第１アーム部２１が押されて、この回動レバー２０だけが回転支軸２３を中心に装置本体１０の側部における第２カバー部材１２に向かって回動される。一方、上記のねじれコイルバネ４０は、図３に示すように、上記の第１延出部４２が保持部材３０に設けられた上記の係止部３３に係止されたままで、上記の第２延出部４３によって回動レバー２０の回転支軸２３が押圧された状態で維持され、回動レバー２０が上記の長穴３１における角部側の端部に付勢されたままの状態になる。このため、ねじれコイルバネ４０の第１延出部４２に保持された作動部材５２は移動せず、検知手段５０のスイッチ５１は作動されない。
【００２９】
また、図４及び図５に示すように、装置本体１０の上部の開閉を行う第１カバー部材１１が開いた状態で、装置本体１０の側部の開閉を行う第２カバー部材１２が閉じられた場合、図４に示すように、上記の第２カバー部材１２に設けられた押圧部材１２ｂにより回動レバー２０の第２アーム部２２が押されて、この回動レバー２０だけが回転支軸２３を中心に装置本体１０の上部における第１カバー部材１１に向かって回動される。一方、上記のねじれコイルバネ４０は、図５に示すように、上記の第１延出部４２が保持部材３０に設けられた上記の係止部３３に係止されたままで、上記の第２延出部４３により回動レバー２０の回転支軸２３が押圧された状態で維持され、回動レバー２０が上記の長穴３１における角部側の端部に付勢されたままの状態になる。このため、ねじれコイルバネ４０の第１延出部４２に保持された作動部材５２は移動せず、検知手段５０のスイッチ５１は作動されない。
【００３０】
一方、図６及び図７に示すように、装置本体１０の上部の開閉を行う第１カバー部材１１と装置本体１０の側部の開閉を行う第２カバー部材１２とが共に閉じられた場合、図６に示すように、上記の第１カバー部材１１に設けられた押圧部材１１ｂにより回動レバー２０の第１アーム部２１が押されると共に、第２カバー部材１２に設けられた押圧部材１２ｂにより回動レバー２０の第２アーム部２２が押され、回動レバー２０が何れの方向にも自由に回動することができなくなり、この回動レバー２０が上記の第１カバー部材１１に設けられた押圧部材１１ｂと第２カバー部材１２に設けられた押圧部材１１ｂとにより上記の角部から内部に向かう方向に押されるようになる。
【００３１】
この結果、この回動レバー２０の回転支軸２３が、上記のねじれコイルバネ４０の第２延出部４３による付勢に抗して、上記の長穴３１に沿って角部側の端部から内部側に移動するようになる。
【００３２】
ここで、このように回動レバー２０の回転支軸２３が上記の長穴３１に沿って角部側の端部から内部側に移動すると、図７に示すように、ねじれコイルバネ４０の第２延出部４３がこの回転支軸２３に押され、上記の突起部３２に回動可能に保持されたねじれコイルバネ４０を第１延出部４２に向けて回転させる力が作用するようになる。
【００３３】
この結果、保持部材３０の係止部３３に係止されていた第１延出部４２が係止部３３から移動して、この係止部３３に連続して傾斜して設けられた案内部に導かれ、この第１延出部４２が第２カバー部材１２の方に回転されるようになる。
【００３４】
そして、このようにねじれコイルバネ４０の第１延出部４２が第２カバー部材１２の方に回転されると、この第１延出部４２に保持された作動部材５２が移動して検知手段５０のスイッチ５１と接触し、これにより検知手段５０のスイッチ５１が作動されて、装置本体１０の上部の開閉を行う第１カバー部材１１と装置本体１０の側部の開閉を行う第２カバー部材１２とが共に閉じられたことが上記の検知手段５０によって検知されるようになる。
【００３５】
このようにすると、装置本体１０の上部の開閉を行う第１カバー部材１１と装置本体１０の側部の開閉を行う第２カバー部材１２とが共に閉じられた状態であるかを、１つの検知手段５０によって簡単に検知できるようになると共に、上記の第１カバー部材１１と第２カバー部材１２とを閉じる順序がどのような順序であっても、上記の検知手段５０によって第１及び第２の各カバー部材１１，１２が共に閉じられた状態にあることを簡単かつ適切に検知することができるようになる。
【００３６】
なお、この実施形態においては、回動レバー２０を長穴３１における角部側の端部に付勢する付勢部材にねじれコイルバネ４０を用いるようにしたが、付勢部材は、上記のねじれコイルバネ４０を限定されるものではない。例えば、図示していないが、付勢部材に圧縮バネ等を用い、回動レバーの移動に伴う圧縮バネの変動を検知手段によって検知させるようにすることも可能である。
【００３７】
また、この実施形態の画像形成装置においては、回動支点１１ａを中心に上下方向に回動して装置本体１０の上部の開閉を行う第１カバー部材１１と、回動支点１２ａを中心に上下方向に回動して装置本体１０の側部の開閉を行う第２カバー部材１２とを設け、この第１カバー部材１１と第２カバー部材１２とが共に閉じられた状態にあることを上記の検知手段５０によって検知するようにしたが、検知するカバー部材１１，１２はこのようなものに限定されない。
【００３８】
例えば、図８（Ａ），（Ｂ）に示す画像形成装置のように、装置本体１０の正面側において、両側における各回動支点１１ａ，１２ａを中心に水平方向に回動して観音開き式に開閉される第１カバー部材１１と第２カバー部材１２とを設け、この第１カバー部材１１と第２カバー部材１２とが共に閉じられた状態にあることを検知手段５０によって検知させるようにすることも可能である。
【符号の説明】
【００３９】
１０  装置本体
１１  第１カバー部材
１１ａ  回動支点
１１ｂ  押圧部材
１２  第２カバー部材
１２ａ  回動支点
１２ｂ  押圧部材
２０  回動レバー
２１  第１アーム部
２２  第２アーム部
２３  回転支軸
３０  保持部材
３１  長穴
３２  突起部
３３  係止部
３４  案内部
４０  ねじれコイルバネ（付勢部材）
４１  コイル部
４２  第１延出部
４３  第２延出部
５０  検知手段
５１  スイッチ
５２  作動部材
【図１】
2010282077.tif 000003
【図２】
2010282077.tif 000004
【図３】
2010282077.tif 000005
【図４】
2010282077.tif 000006
【図５】
2010282077.tif 000007
【図６】
2010282077.tif 000008
【図７】
2010282077.tif 000009
【図８】
2010282077.tif 000010